(57)【要約】【課題】トワインガイド体が左右往復移動することを利用して、チェンケース内に侵入する藁屑やゴミ等を自動的に排出し、トワインガイド体の摺動性が悪くなることのないロールベーラのトワイン供給装置を提供する。【解決手段】トワインガイド体６がチェンケース１内の底面１ａ上を左右に摺動するよう構成するとともに、チェンケース１内の左右両端下方部分に開放部Ａを設けてトワインガイド体６が底面１ａ上を左右に摺動することによって、底面１ａ上に堆積する藁屑やゴミ等を開放部Ａからチェンケース１外へ排出可能に構成した。【選択図】        図１
2004275021.tif 000002
【特許請求の範囲】
【請求項１】
チェンケース（１）内の左右に配設したスプロケット（２），（３）にエンドレスチェン（４）を巻回するとともに、該エンドレスチェン（４）にトワインガイド（５）を設けたトワインガイド体（６）を係合し、一方のスプロケット（２）に連動したプーリ（７）にトワイン（Ｔ）を巻き掛け、トワイン（Ｔ）のベール成形室（８）内への繰り出しでプーリ（７）を回転させてトワインガイド（５）を左右往復移動させるロールベーラのトワイン供給装置において、前記トワインガイド体（６）がチェンケース（１）内の底面（１ａ）上を左右に摺動するよう構成するとともに、該チェンケース（１）左右両端の下方に開放部（Ａ）を設け、トワインガイド体（６）の左右摺動によって底面（１ａ）に堆積する埃やゴミ等を開放部（Ａ）から排出可能にしてなるロールベーラのトワイン供給装置。
【発明の詳細な説明】
【０００１】
【発明の属する技術分野】
本発明は、刈り倒した牧草や脱穀して地上へ放置した排藁等の収集物を収集してロール状ベールに圧縮梱包するロールベーラに関するものであり、更に詳しくは、ベール成形室でロール状に圧縮成形されたベールの全幅にトワインを螺旋状に巻き付けるトワイン供給装置に関するものである。
【０００２】
【従来の技術】
【引用文献１】実開平２−７０６４０号公報
従来より、左右に配設したスプロケットにエンドレスチェンを巻き掛け、このエンドレスチェンにトワインを引っ掛けるトワインガイドを設けたガイド体を係合させ、一方のスプロケットと連動したプーリにトワインを巻き掛け、トワインのベール成形室内への繰り出しに伴ってプーリを回転させて、トワインを引っ掛けたトワインガイドをベール成形室の幅方向へ左右往復移動させるようにしたロールベーラのトワイン供給装置が知られており、トワインガイドのトワイン引っ掛けミスを無くする技術が引用文献１に開示されている。
【０００３】
【発明が解決しようとする課題】
前記のトワインガイドはチェンケース下方に突出して設けてあり、このトワインガイドを左右往復移動させる構成であるため、チェンケース下方にはトワインガイドが移動するための開放溝が形成される。このため、ベール成形室側の藁屑やゴミ等が開放溝からチェンケース内に侵入して、トワインガイドの動きが悪くなるという不都合があった。又、トワインがベールに巻き付く力によってトワインガイドを左右に移動させるため、トワインガイドの動きが悪くなるとトワイン切断に至るという不都合もあった。
本発明は、トワインガイド体が左右往復移動することを利用して、チェンケース内に侵入する藁屑やゴミ等を自動的に排出することのできるトワイン供給装置を提供することを課題とする。
【０００４】
【課題を解決するための手段】
チェンケース１内の左右に配設したスプロケット２，３にエンドレスチェン４を巻回するとともに、該エンドレスチェン４にトワインガイド５を設けたトワインガイド体６を係合し、一方のスプロケット２に連動したプーリ７にトワインＴを巻き掛け、トワインＴのベール成形室８内への繰り出しでプーリ７を回転させてトワインガイド５を左右往復移動させるロールベーラのトワイン供給装置において、前記トワインガイド体６がチェンケース１内の底面１ａ上を左右に摺動するよう構成するとともに、該チェンケース１左右両端の下方に開放部Ａを設け、トワインガイド体６の左右摺動によって底面１ａに堆積する埃やゴミ等を開放部Ａから排出可能にしてなるロールベーラのトワイン供給装置の構成とする。
【０００５】
【発明の作用及び効果】
トワインＴが繰り出されると、このトワインＴを巻き掛けたプーリ７が回転して、該プーリ７と連動した一方のスプロケット３が駆動され、エンドレスチェン４が左右の両スプロケット２，３間を回動することによって、エンドレスチェン４に係合したトワインガイド体６が軌跡Ｋの如く左右に移動し、該トワインガイド体６下方のトワインガイド５がトワインＴを引っ掛けながらトワインＴをベール成形室８内へ案内する。
トワインガイド体６はチェンケース１内の底面１ａ上を左右に摺動するよう構成するとともに、チェンケース１の左右両端の下方に開放部Ａを設けてあるので、トワインガイド体６が左右摺動することでチェンケース１内の底面１ａ上に侵入した藁屑やゴミ等を往復摺動毎にチェンケース１左右開放部Ａからチェンケース１外に排出することができる。摺動毎に排出される藁屑やゴミ等は、チェンケース１内に蓄積されることがなく、トワインガイド体６の摺動を常に良好に維持することができる。従って、藁屑等に阻害されることなく、トワンガイド体６が軽く摺動可能であり、トワインＴが過張力で切断されることがなく、又、プーリ７に巻き掛けたトワインＴが滑って正常なトワインＴ繰り出しができない等の不具合も解消される。
【０００６】
【発明の実施の形態】
本発明の実施例のロールベーラは、図３，図４に示すように、車体フレーム１０前方のテンション輪１１と、後方の駆動スプロケット１２と、複数の接地転輪１３にクローラベルト１４を巻き掛けた左右一対のクローラ走行装置９を具備してある。クローラ走行装置９前方には、地面の収集物１５を掻上収集する掻上装置１６を設け、車体フレーム１０上に搭載した固定機枠１７と可動機枠１８との内部にベール成形室８を形成し、このベール成形室８と前記掻上装置１６との間に搬送装置１９を設けてある。又、車体フレーム１０上の固定機枠１７と可動機枠１８との側部には、内方に原動機２０を搭載した原動機枠２１を設けてある。原動機枠２１の後上部には、各々の作業及び走行を操作する操作部７０を設け、その後方には、車体フレーム１０から後方に向けて立設の支持パイプ７１上端に取着するシート７２を設けてあり、作業者がシート７２に座って操作部７０を操作しながら作業を行う。
【０００７】
掻上装置１６は、横方向に配列した複数の円弧状ガイド環２２の各配列間から突出させた掻上杆２３を、下方が前方に向かう方向に回転させて、地上に散在する排藁や牧草等の収集物１５を上方へ拾い上げるよう構成したもので、前記ガイド環２２の左右両外側に立設した側枠２４と、側枠２４上に横架した飛散防止板２５で上部を覆ってある。掻上装置１６の前方上方は、飛散防止板２５から垂下したゴム板２６で覆い、左右側枠２４，２４を固定機枠１７に横架した横軸２７に枢支して、掻上杆２３が地上に接近して回転する収集作業位置と、収集作業を行わない上方の格納位置との間で掻上装置１６全体が上下動可能に構成してある。
【０００８】
搬送装置１９は、前方の掻上装置１６で地上から拾い上げた収集物１５を後方のベール成形室８内へ送り込むもので、左右に横架した前後の横軸２７，２８の左右両端に取着したスプロケット２９，３０間に左右一対のエンドレスチェン３１を巻き掛け、該左右一対のエンドレスチェン３１，３１間にパイプ状の搬送具３２を所定間隔に並設横架した構成である。
【０００９】
搬送装置１９の上方には、固定機枠１７の左右に横架した支軸３３に、横方向所定間隔で線材からなる中間押えばね３４と後部押え板３５とを設け、その下方が搬送装置１９上と僅かの間隔を持たせた状態で沿うように設けてある。
これらは、掻上装置１６が拾い上げた収集物１５を搬送装置１６側へ強く押え付けながらベール成形室８内へ収集物１５を確実に送り込むようにしたものである。
固定機枠１７は、車体フレーム１０上に固定し、後部の可動機枠１８を上部の枢支軸３６で枢支し、油圧シリンダ（図示せず）の伸縮による可動機枠１８の開放が可能である。すなわち、ベール成形室８でロール状に圧縮成形され、トワインＴで梱包されたベールを、可動機枠１８を上方に回動して開放することによってベールが後方に転がり出る構成である。固定機枠１７の後方下部には、可動機枠１８を上方へ回動開放した時にベール成形室８から転がり出るベールをクローラ走行装置９後方へ案内する案内板６５を設けてある。
固定機枠１７の内側には、取入口４６、左右側部に固定の半円弧状側壁４７，４７を設け、搬送装置１９の後半部と後述する束ね装置４３の上端部とでベール成形室８の前半部を構成してある。
【００１０】
可動機枠１８の内部には、上部の枢支軸３６と下部に横架した回転軸３７の各々に、左右両端にスプロケット３８，３９を取着し、該スプロケット３８，３９に左右一対のエンドレスチェン４０を巻き掛け、該左右一対のエンドレスチェン４０，４０間にパイプ状の搬送具４１を所定間隔毎に並設横架してある。搬送具４１は、内腔側が左右側部に固定の半円弧状側壁４２，４２の外周に沿って湾曲して移動するようにした束ね装置４３と、前記半円弧状側壁４２，４２とでベール成形室８の後半分を構成してある。
固定機枠１７と可動機枠１８の外周は、各々カバー４４，４５で覆って、収集物１５とともにベール成形室８内へ入り込んだ粉塵が外方へ飛散しないようにしてある。
【００１１】
固定機枠１７前方の搬送装置１９上方には、トワイン供給装置５０を設け、ベール成形室８でロール状に圧縮されたベールにトワインＴを左右全幅にわたって螺旋状に巻き付け梱包を行う。
このトワイン供給装置５０は、図１に示す如く、横長直方体形状のチェンケース１から下方へ向けてトワインガイド５を突出させ、チェンケース１前面に設けた送出ロール５２，５３で繰り出すトワインＴを該トワインガイド５が引っ掛けて左右往復移動してトワインＴのベール成形室８内への供給位置を変更するよう構成したものである。
チェンケース１内には、左右両端にスプロケット２，３を軸支し、両スプロケット２，３にエンドレスチェン４を巻回し、該エンドレスチェン４に略四角穴形状の係合孔５１を係合させたトワインガイド体６を内装してある。トワインガイド体６のチェンケース１から下方へ突出した部分にはトワインガイド５を固着してある。
【００１２】
チェンケース１の前面には、ブラケット５４，５４を突出させて固着し、送出ロール５２，５３を軸支してある。一方の送出ロール５２は、その軸５７を側方へ延長してモータＭで駆動回転されるようにし、他方の送出ロール５３は、ばね５８で一方の送出ロール５２に圧接してトワインＴを挟み込むようにしてある。送出ロール５２，５３はトワインＴを上下方向に挟んであるが、トワインガイド４が左右往復移動すると、トワインＴを左右に引っ張ることとなり、トワインＴを送出ロール５２，５３の左右方向略中央部に保持させることができないので、送出ロール５２，５３のトワインＴ送出側にはトワインＴの左右方向の移動を規制するガイドロール４８，４９を設けてある。ガイドロール４８，４９は縦方向の円筒形状で転動自在に設けてあり、左右に引っ張られるトワインＴが接触すると回動するとともに、トワインＴの左右方向のズレを規制してある。
チェンケース１前面の一側端側には、スプロケット３を軸支する回転軸５５を突出させ、その軸端にギヤ５９を取着してある。スプロケット３側方には、前記ギヤ５９と噛合するギヤ６０を軸支する回転軸５６を並設し、その軸端にプーリ７を取着してある。
固定機枠１７上部に設けたトワインケース６１内のトワインロールＴＲから引き出したトワインＴをプーリ７に巻き掛け、２個の中継ロール６２，６３を介して送出ロール５２，５３に挟み込み、収集開始時にトワインＴ先端を下方に垂れ下がらせておく。
６４は、トワインガイド５が左右往復移動して復帰した場合にトワインＴを切断するよう、トワインガイド５移動中には逃げ、復帰時に切断作用を行うトワイン切刃である。
【００１３】
このように構成したトワイン供給装置５０を使用するには、まず送出ロール５２，５３をモータＭで駆動してトワインＴを搬送装置１９上へ落下させて収集物１５とともにベール成形室８内へ送り込み、トワインＴがベールの外周に巻き付くとベールの回転でトワインＴが引き出されるので送出ロール５２の駆動を停止する。
トワインＴがベールの回転により引き出されると、プーリ７が回転させられ、これに連動するスプロケット３，４及びエンドレスチェン４が回動するとともにエンドレスチェン４に係合したトワインガイド体６が横方向への移動を開始する。トワインガイド体６は、チェンケース１底面１ａを摺動するので、トワインガイド体６の側面下端部が底面１ａ上の藁屑、埃、トワイン屑当をチェンケース１左右両端に設けた開放部Ａから排出し、底面１ａ上を常に摺動抵抗が少ない状態に維持することができる。トワインガイド体６が左右往復移動した後は、トワインＴがトワイン切刃６４で切断されてベールの梱包が完了する。
【００１４】
図５に示すのは、チェンケース１の底面１ａ部を後方に回動させ、底面１ａ全体を開放状態にすることを可能にしたものである。チェンケース１の後ケース側を上下二分割の上ケース８１、下ケース８２とし、その間８１，８２を複数の丁番８０で連結し、底面１ａを有する下ケース８１を後方へ開放することができるので、チェンケース１内に侵入した藁屑やゴミ等を容易に排出することができる。尚、下ケース８１を閉じた状態での固定方法は、ノブボルトやロック機構等適宜の方法で固定すれば良い。
【図面の簡単な説明】
【図１】トワイン供給装置の一部断正面図。
【図２】トワイン供給装置の一部断側面図。
【図３】全体の一部断側面図。
【図４】全体の一部断平面図。
【図５】トワイン供給装置の一部断側面図。
【符号の説明】
１    チェンケース
１ａ    底面
２    スプロケット
３    スプロケット
４    エンドレスチェン
５    トワインガイド
６    トワインガイド体
７    プーリ
８    ベール成形室
Ａ    開放部
Ｔ    トワイン
【図１】
2004275021.tif 000003
【図２】
2004275021.tif 000004
【図３】
2004275021.tif 000005
【図４】
2004275021.tif 000006
【図５】
2004275021.tif 000007